(57)【要約】【課題】  計数部の前面を直角方向から見た場合に流量表示が見やすくなる計数部にＬＣＤ表示器を有する流量計を提供する。【解決手段】  計数部にＬＣＤ表示器を有する流量計としての容積流量計１は、流量検出部からの信号を処理して流量を表示する計数部３に設けられる計数部ケース２５の前面内側に存在するＬＣＤ表示器５を、計数部ケース２５の前面に対して傾けた状態に配置してなるものとする。具体的には、計数部３の前面に対して直角となる方向（矢印Ｑ）と、ＬＣＤ表示器５の単体においてこの表示面に対し例えば斜め下方向から見た場合に見やすくなる方向（斜め下方向）とが略一致するようにＬＣＤ表示器５を傾けて配置する。【選択図】    図１
2007047018.tif 000002
【特許請求の範囲】
【請求項１】
流量検出部からの信号を処理して流量を表示するための計数部に設けられる計数部ケースの前面内側に存在するＬＣＤ表示器を、前記計数部ケースの前記前面又は前記計数部を収容する別体の容器の前面に対して傾けた状態に配置することによりなる
ことを特徴とする計数部にＬＣＤ表示器を有する流量計。
【請求項２】
請求項１に記載の計数部にＬＣＤ表示器を有する流量計において、
前記計数部の周囲の温度に応じて前記ＬＣＤ表示器の輝度を自動調節する自動輝度調節手段を前記計数部に設ける
ことを特徴とする計数部にＬＣＤ表示器を有する流量計。
【請求項３】
請求項１に記載の計数部にＬＣＤ表示器を有する流量計において、
前記ＬＣＤ表示器の輝度を任意に調節する手動用の任意輝度調節手段を前記計数部に設ける
ことを特徴とする計数部にＬＣＤ表示器を有する流量計。
【発明の詳細な説明】
【技術分野】
【０００１】
本発明は、被測定流体の流量を液晶表示するＬＣＤ表示器を有する計数部を構成に備えた流量計に関する。
【背景技術】
【０００２】
ＬＣＤ表示器を有する計数部を構成に備えた流量計として、以下、容積流量計を一例に挙げて説明する。
【０００３】
容積流量計は、内部に回転子を設けた計量室を有している。回転子は、計量室内に流入する被測定流体の体積に比例して回転するように配置されている。容積流量計は、回転子の回転から流量を求める体積流量計であって、流量計を取り付ける配管形状による流れ変化影響を受けることが殆どないという特性を有している。容積流量計は、例えば下記特許文献１の開示技術等により一般的に知られている。
【０００４】
下記特許文献１に開示された容積流量計は、容器本体と蓋体とで構成される容器内に計数部が内蔵されている。容器は、計数部に対して別体の構成となっている。計数部で演算された流量は、計数部に設けられたＬＣＤ表示器に数値によって表示されるようになっている。ＬＣＤ表示器に表示された流量は、蓋体の窓を介して視認することができるようになっている。
【０００５】
容積流量計は、配管の所定位置に取り付ける際に、又は取り付けられた後に、計数部の前面（具体的には計数部ケースの前面）がこの前面の直角方向から見られるように計数部の向きが調整されている。下記特許文献１に開示された容積流量計も蓋体の窓を介して計数部の前面が直角方向から見られるように取り付け調整されている。
【０００６】
下記特許文献１に開示された容積流量計は、計数部前面の表ガラスが蓋体の窓に対して平行に配置されるとともに、計数部前面の表ガラスの奥に存在するＬＣＤ表示器が表ガラスに対して平行に配置される構造を有している。
【特許文献１】特許第３５２９２０１号公報
【発明の開示】
【発明が解決しようとする課題】
【０００７】
流量計において用いられるＬＣＤ表示器は、単に流量を数値によって表示することを目的としており、また、安価なもので十分に機能を果たすことから、次のような問題点を有している。すなわち、流量計用のＬＣＤ表示器として、例えば電卓で用いられる安価なＬＣＤ表示器と同じものを利用すると、表示された数値は表示面に対して直角方向から見るよりも、斜め上又は斜め下方向から見る場合の方が若干よく見えるようになることから（電卓の使用形態に合う表示であるため）、流量計用のＬＣＤ表示器においては、コストを優先させると見やすさが犠牲になってしまうという問題点を有している。
【０００８】
その他の問題点としては、流量計が様々な環境で使用されることから、ＬＣＤ表示器が使用環境の温度により影響を受けてしまうような場合には、輝度に変化が出て見難くなってしまう恐れがあるという問題点を有している。
【０００９】
本発明は、上述した事情に鑑みてなされたもので、計数部の前面を直角方向から見た場合に流量表示が見やすくなる計数部にＬＣＤ表示器を有する流量計を提供することを課題とする。また、常に見やすい表示が維持される計数部にＬＣＤ表示器を有する流量計を提供することを課題とする。
【課題を解決するための手段】
【００１０】
上記課題を解決するためになされた請求項１記載の本発明の計数部にＬＣＤ表示器を有する流量計は、流量検出部からの信号を処理して流量を表示するための計数部に設けられる計数部ケースの前面内側に存在するＬＣＤ表示器を、前記計数部ケースの前記前面又は前記計数部を収容する別体の容器の前面に対して傾けた状態に配置することによりなることを特徴としている。
【００１１】
このような特徴を有する本発明によれば、表示面に対して斜め上又は斜め下方向から見た場合に見やすくなるようなＬＣＤ表示器の前記方向と、計数部の前面（計数部ケースの前面）に対して直角となる方向とが略一致するようにＬＣＤ表示器が傾けられて配置される。傾きは例えば３０°位までの範囲であり、この程度の範囲であれば、計数部の前面を直角方向から見てもＬＣＤ表示器の配置として違和感は感じられないものとなる。これは、ＬＣＤ表示器の前方に存在する例えば表ガラスや、ＬＣＤ表示器の周囲に存在する化粧パネルが、計数部の前面に対して略平行に配置されるからであり、ＬＣＤ表示器の傾きが小さい状態で配置されれば、ユーザーはこの傾きに気が付くことなくＬＣＤ表示器に表示された数値を見て流量を把握することができるようになる。ＬＣＤ表示器を傾けて配置することにより、コストを優先させても見やすさが犠牲になるようなことは避けられる。尚、計数部は、これ自体を別体の容器に収納して使用する形態もあることから、計数部を別体の容器内に収納する場合には、ＬＣＤ表示器を容器前面に対して傾くように配置すればよい。これにより、見やすさが犠牲になるようなことは避けられる。
【００１２】
請求項２記載の本発明の計数部にＬＣＤ表示器を有する流量計は、請求項１に記載の計数部にＬＣＤ表示器を有する流量計において、前記計数部の周囲の温度に応じて前記ＬＣＤ表示器の輝度を自動調節する自動輝度調節手段を前記計数部に設けることを特徴としている。
【００１３】
このような特徴を有する本発明によれば、計数部の周囲の温度に応じてＬＣＤ表示器へ供給される駆動電圧が決定される。温度の測定及び駆動電圧の決定は、自動輝度調節手段により行われ、例えば、温度によって抵抗値が変化するサーミスタを用いて次のような処理が行われる。先ず、自動輝度調節手段では、サーミスタの抵抗変化が電圧変化のデータとして取り込まれる。次に、この取り込んだデータに基づいてＬＣＤ表示器の輝度が自動調節される。本発明によれば、ＬＣＤ表示器に対する温度補償機構を有することになり、常に見やすい表示が維持される。
【００１４】
請求項３記載の本発明の計数部にＬＣＤ表示器を有する流量計は、請求項１に記載の計数部にＬＣＤ表示器を有する流量計において、前記ＬＣＤ表示器の輝度を任意に調節する手動用の任意輝度調節手段を前記計数部に設けることを特徴としている。
【００１５】
このような特徴を有する本発明によれば、例えば表示状態の微調整が必要な場合に、ＬＣＤ表示器へ供給される駆動電圧が任意輝度調節手段によって変更される。例えば、任意輝度調節手段では、抵抗値を変化させることが可能なボリューム等を用いてユーザーが抵抗値を変化させると、この抵抗値の変化が電圧変化のデータとして取り込まれる。次に、この取り込んだデータに基づいてＬＣＤ表示器の輝度が調節される。本発明によれば、任意輝度調節手段を有することにより、見やすい表示に維持することが可能になる。
【発明の効果】
【００１６】
請求項１に記載された本発明によれば、計数部の前面を直角方向から見た場合に、又は、計数部を収容する別体の容器前面を直角方向から見た場合に、流量表示が従来よりも見やすくなるという効果を奏する。また、請求項２に記載された本発明によれば、様々な環境で使用されても常に見やすい表示が維持されるという効果を奏する。また、請求項３に記載された本発明によれば、例えば表示状態の微調整が可能になるという効果を奏する。
【発明を実施するための最良の形態】
【００１７】
以下、図面を参照しながら説明する。図１は本発明の計数部にＬＣＤ表示器を有する流量計の一実施の形態を示す図であり、（ａ）は外観斜視図、（ｂ）は要部断面図である。また、図２は計数部にＬＣＤ表示器を有する流量計の取り付け状態を示す斜視図、図３は計数部全体の向きに係る説明図、図４は本体部の分解斜視図、図５は計数部にＬＣＤ表示器を有する流量計の制御説明に係るブロック図である。
【００１８】
図１において、引用符号１は本発明の計数部にＬＣＤ表示器を有する流量計の一例となる容積流量計を示している。容積流量計１は、本体部２と、この本体部２の軸方向に対して直交方向から本体部中間に取り付けられる計数部３とを備えて構成されている。容積流量計１は、図２に示すように配管４の途中に取り付けられており、この配管４の内部を流れる被測定流体（図示省略）を計量して計数部３の内部で流量に係る演算をすることができるように構成されている。また、容積流量計１は、演算により得られた流量を計数部３に設けたＬＣＤ表示器５に表示することができるように構成されている。容積流量計１は、後述するが、従来に比べてＬＣＤ表示器５における流量表示が見やすくなるような工夫が施されている。
【００１９】
図２において、上流側の配管４と本体部２の上流側フランジ６との間には、ストレーナ７が設けられている。図２中の引用符号８はバイパス管を示している。また、引用符号９はバルブを示している。バルブ９は、３つ図示されている。バイパス管８は、容積流量計１の分解点検の際に用いる部分として設けられている。通常では、バイパス管８のバルブ９が閉じられており、分解点検の際には、ストレーナ７の上流のバルブ９と本体部２の下流側フランジ１０の下流側のバルブ９とが閉じられるようになっている。
【００２０】
図２及び図３において、計数部３は、矢印Ｐ方向に向きを変えることができるような流量読み取り方向変更機構１１を有している。この流量読み取り方向変更機構１１を有することにより、ユーザーは計数部３の前面に対して直角方向からこれを見ることができるようになっている。ユーザーは、容積流量計１の配置が例えばユーザーの足元側や頭側になったとしても、計数部３の前面に対して直角方向からこれを見ることができるようになっている。人間の行動として、計数部３の前面を直角方向から見ることは一般的なことであり、本形態において流量読み取り方向変更機構１１は有用な部分となっている。
【００２１】
図１及び図４において、本体部２は、計数部３の取付台座１２が取り付く前蓋部１３と、計量室１４を有する計量室形成部１５と、計量室１４内に収納されて回転子軸１６、１６により回転する二つの回転子１７、１８と、計量室形成部１５に連続する上流側フランジ６及び下流側フランジ１０とを備えて構成されている。前蓋部１３は、回転子１７、１８を回転自在に収納した状態で計量室１４を覆う部材として形成されている。このような前蓋部１３は、ネジ１９によって計量室形成部１５に対して固定されるようになっている。
【００２２】
前蓋部１３と計量室形成部１５との間には、Ｏリング２０が設けられている。また、前蓋部１３と取付台座１２との間には、パッキン２１が設けられている。回転子１７には、Ｓ極とＮ極の二つの磁石２２が設けられている。二つの磁石２２は、図示のように離れて配置されており、前蓋部１３の凹部２３に収納される、計数部３の流量検出部２４（公知のものと同じであり具体的な図示は省略する）により検知されるようになっている。回転子１７、１８は、計量室１４内に流入する被測定流体（図示省略）の体積に比例して回転するように配置されている。
【００２３】
図１及び図２において、計数部３は、取付台座１２と、この取付台座１２よりも前方の流量読み取り方向変更機構１１と、流量読み取り方向変更機構１１よりも前方の計数部ケース２５とを備えて構成されている。取付台座１２の内部には、流量検出部２４（図５参照）が設けられている。流量検出部２４からの信号（被測定流体の計量に係る信号）は、計数部ケース２５に内蔵された制御演算部２６（図５参照）に取り込まれるようになっている。流量読み取り方向変更機構１１の反対側の位置には、パルス発信器２７が設けられている。パルス発信器２７は、ケーブル２８を介して例えばＦ／Ｉ変換器、積算計（図示省略）に接続されている。
【００２４】
計数部ケース２５には、ＬＣＤ表示器５が設けられている。ＬＣＤ表示器５は、流量を数値によって表示する装置であって、従来に比べて流量表示が見やすくなるようにするために、ＬＣＤ表示器５よりも前方となる計数部３の前面に対して角度θ分だけ傾けた状態に配置されている。もう少し具体的に説明すると、図１中の引用符号２９、３０は計数部３の前面を構成する平らな部材であって、ここでは透明な部材（表ガラスのように機能する部材）と化粧パネル（ＬＣＤ表示器５に対する開口部３１を有する。また、ＬＣＤ表示器５の周囲に存在する）とを示しており、ＬＣＤ表示器５はこれら透明な部材２９及び化粧パネル３０に対して角度θ分だけ傾けた状態に配置されている。透明な部材２９は、計数部ケース２５の前面に設けられている。
【００２５】
ＬＣＤ表示器５を傾けて配置するために、本形態においては専用の表示器配置部材３２が設けられている（配置に係る構造は一例であるものとする）。表示器配置部材３２は、幾つかの傾きが可能となるように複数の溝３３を有している。表示器配置部材３２は、例えば化粧パネル３０に対して固定されている。計数部３の前面に一番近い溝３３は、この計数部３の前面に対して角度θ分だけ傾けた状態となるように形成されている。ＬＣＤ表示器５は、表示器配置部材３２の上部から対応する溝３３に差し込まれて下方に案内されると、上記のような状態に配置されるようになっている。ＬＣＤ表示器５は、角度θ分だけ傾けられた状態に配置された後に、溝３３に取り付けられる抜け止め部材（図示省略。着脱自在なものが好ましい）によって固定されるようになっている。
【００２６】
本発明によれば、計数部３の前面（ここでは計数部ケース２５の前面となる透明な部材２９）に対して直角となる方向（矢印Ｑ参照）と、ＬＣＤ表示器５の単体においてこの表示面に対し例えば斜め下方向から見た場合に見やすくなる方向（斜め下方向）とが略一致するように、ＬＣＤ表示器５が傾けられて配置される構造であることから、安価なＬＣＤ表示器５を利用する場合であっても流量表示が従来よりも見やすくなるようになっている。
【００２７】
図１及び図５において、計数部ケース２５に内蔵される制御演算部２６は、流量検出部２４からの信号を取り込んで流量に係る演算を行うとともに、演算によって得られた流量データをＬＣＤドライバ３４を介してＬＣＤ表示器５に表示させることができるように構成されている。ＬＣＤ表示器５の輝度に関しては、後述する自動輝度調節手段、任意輝度調節手段によって制御されるようになっている。ＬＣＤドライバ３４は、ＬＣＤ表示器５の表示及び輝度調節の際に用いるものとして設けられている。
【００２８】
上記自動輝度調節手段は、計数部３の周囲の温度に応じてＬＣＤ表示器５の輝度を自動調節する機能を有している。上記自動輝度調節手段は、サーミスタ３５、電圧変換部３６、ＬＣＤドライバ３４により構成されている。上記任意輝度調節手段は、ＬＣＤ表示器５の輝度を手動で任意に調節する機能を有している。上記任意輝度調節手段は、ボリューム３７、電圧変換部３６、ＬＣＤドライバ３４により構成されている。サーミスタ３５やボリューム３７は、例えば計数部ケース２５の目立たない位置に配置されている。
【００２９】
上記自動輝度調節手段においては、電圧変換部３６を介してサーミスタ３５の抵抗値変化がＬＣＤドライバ３４に取り込まれるようになっている。また、上記自動輝度調節手段においては、取り込まれた電圧変化のデータに基づいてＬＣＤドライバ３４がＬＣＤ表示器５の輝度を自動で調節するようになっている。上記自動輝度調節手段を備えることにより、容積流量計１が様々な環境で使用されても常に見やすい表示を維持することができるようになっている（尚、上記自動輝度調節手段の設定は任意であるものとする）。
【００３０】
上記任意輝度調節手段においては、ボリューム３７を用いてユーザーが抵抗値を変化させると、この抵抗値の変化が電圧変換部３６を介してＬＣＤドライバ３４に取り込まれるようになっている。また、上記任意輝度調節手段においては、取り込まれた電圧変化のデータに基づいてＬＣＤドライバ３４がＬＣＤ表示器５の輝度を調節するようになっている。上記任意輝度調節手段は、ＬＣＤ表示器５の表示状態の微調整を行う際に好適な手段となっている（尚、上記任意輝度調節手段の設定は任意であるものとする）。
【００３１】
以上、図１ないし図５を参照しながら説明してきたように、本発明によれば、計数部３の前面を直角方向から見た場合に流量表示が従来よりも見やすくなるという構造になっている。また、本発明によれば、様々な環境で使用されても常に見やすい表示が維持されるという構造になっている。さらに、本発明によれば、表示状態の微調整ができるという構造になっている。
【００３２】
その他、本発明は本発明の主旨を変えない範囲で種々変更実施可能なことは勿論である。
【産業上の利用可能性】
【００３３】
本発明の活用例として、上述の容積流量計の他に、コリオリ流量計や渦流量計等のＬＣＤ表示器を有する流量計が挙げられるものとする。
【図面の簡単な説明】
【００３４】
【図１】本発明の計数部にＬＣＤ表示器を有する流量計の一実施の形態を示す図であり、（ａ）は外観斜視図、（ｂ）は要部断面図である。
【図２】計数部にＬＣＤ表示器を有する流量計の取り付け状態を示す斜視図である。
【図３】計数部全体の向きに係る説明図である。
【図４】本体部の分解斜視図である。
【図５】計数部にＬＣＤ表示器を有する流量計の制御説明に係るブロック図である。
【符号の説明】
【００３５】
１  容積流量計（計数部にＬＣＤ表示器を有する流量計）
２  本体部
３  計数部
４  配管
５  ＬＣＤ表示器
６  上流側フランジ
７  ストレーナ
８  バイパス管
９  バルブ
１０  下流側フランジ
１１  流量読み取り方向変更機構
１２  取付台座
１３  前蓋部
１４  計量室
１５  計量室形成部
１６  回転子軸
１７、１８  回転子
１９  ネジ
２０  Ｏリング
２１  パッキン
２２  磁石
２３  凹部
２４  流量検出部
２５  計数部ケース
２６  制御演算部
２７  パルス発信器
２８  ケーブル
２９  透明な部材
３０  化粧パネル
３１  開口部
３２  表示器配置部材
３３  溝
３４  ＬＣＤドライバ
３５  サーミスタ
３６  電圧変換部
３７  ボリューム
【図１】
2007047018.tif 000003
【図２】
2007047018.tif 000004
【図３】
2007047018.tif 000005
【図４】
2007047018.tif 000006
【図５】
2007047018.tif 000007